【手続補正書】
【提出日】平成27年11月27日(2015.11.27)
【手続補正１】
【補正対象書類名】特許請求の範囲
【補正対象項目名】全文
【補正方法】変更
【補正の内容】
【特許請求の範囲】
【請求項１】
デジタルフィルム内で検出されたアーチファクトに関する情報を含むメタデータを生成するための方法であって、
−メタデータ生成を複数の処理タスクに分割するステップと、
−前記複数の処理タスクのうちの２以上の処理タスクを２以上の処理ノードに割り振るステップであって、処理ノードに割り振られた処理タスクのサイズが、前記処理ノードについて決定された、処理速度および／または累計された処理速度から決定される、前記割り振るステップと、
−前記２以上の処理ノードによって生成されたメタデータを収集するステップと、
−前記収集されたメタデータを出力ユニット上で可視化するステップと
を備える、前記方法。
【請求項２】
処理ノードに、そのレポートされた状態に応じて、さらなる処理タスクを割り振るステップをさらに備える、請求項１に記載の方法。
【請求項３】
処理タスクの前記割り振りおよび／または前記割り振られた処理タスクの現在の処理状態を可視化するステップをさらに備える、請求項１または２に記載の方法。
【請求項４】
さらなるメタデータが読み出される場合には前記収集されたメタデータの前記可視化を、さらなる処理タスクが割り振られる場合には処理タスクの前記割り振りの前記可視化を、または処理状態が変わる場合には前記割り振られた処理タスクの前記現在の処理状態の前記可視化を更新するステップをさらに備える、請求項３に記載の方法。
【請求項５】
異なる色、形またはマークは、割り振られていないかまたは処理されていない処理タスク、割り振られた処理タスクの割り振りおよび処理状態、ならびに生成されたメタデータ、を示すのに使用される、請求項１乃至４のうちのいずれか１項に記載の方法。
【請求項６】
前記処理タスクは、前記デジタルフィルムの部分および／またはアルゴリズムの処理ステップに関連する、請求項１乃至５のうちのいずれか１項に記載の方法。
【請求項７】
前記デジタルフィルムの前記部分は、映画のフレームまたはチャンクである、請求項６に記載の方法。
【請求項８】
前記出力ユニット上で可視化するためにメタデータをクラスタ化するステップをさらに備える、請求項１乃至７のうちのいずれか１項に記載の方法。
【請求項９】
前記累計された処理速度に基づいてメタデータのレビュープロセスの再生速度を制御するステップをさらに備える、請求項１乃至８のうちのいずれか１項に記載の方法。
【請求項１０】
前記メタデータをレビューするために前記収集されたメタデータおよび／または前記デジタルフィルムの手動ナビゲーションを行なうステップをさらに備える、請求項１乃至９のうちのいずれか１項に記載の方法。
【請求項１１】
デジタルフィルム内で検出されたアーチファクトに関する情報を含むメタデータを生成するよう構成された装置であって、
−メタデータ生成を複数の処理タスクに分割し、および前記複数の処理タスクのうちの２以上の処理タスクを２以上の処理ノードに割り振るよう構成されたプロセッサであって、処理ノードに割り振られた処理タスクのサイズが、前記処理ノードについて決定された、処理速度および／または累計された処理速度から決定される、前記プロセッサと、
−前記２以上の処理ノードによって生成されたメタデータを収集するよう構成されたデータコレクタと、
−前記収集されたメタデータを出力ユニット上で可視化するよう構成された可視化コントローラと、
を備える、前記装置。
【請求項１２】
デジタルフィルムの修復のために該デジタルフィルム内で検出されたアーチファクトに関する情報を含むメタデータを適用するための方法であって、
−メタデータの前記適用を複数の処理タスクに分割するステップと、
−前記複数の処理タスクのうちの２以上の処理タスクを２以上の処理ノードに割り振るステップであって、処理ノードに割り振られた処理タスクのサイズが、前記処理ノードについて決定された、処理速度および／または累計された処理速度から決定される、前記割り振るステップと、
−メタデータを前記２以上の処理ノードに分散するステップと、
を備える、前記方法。
【請求項１３】
−前記２以上の処理ノードによって生成された修復されたデジタルフィルムを収集するステップと、
−前記修復されたデジタルフィルムを出力ユニット上で可視化するステップと、
をさらに備える、請求項１２に記載の方法。
【手続補正２】
【補正対象書類名】明細書
【補正対象項目名】００３４
【補正方法】変更
【補正の内容】
【００３４】
マスタープロセス６を実行するのに適用される装置６０を、図７に概略的に示す。装置６０は、プロセッサ６１を備え、そのプロセッサは、メタデータ生成を複数の処理タスクに分割し、かつインタフェース６２経由で、複数の処理タスクのうちの２以上の処理タスクを２以上の処理ノード７に割り振る。データコレクタ６３は、２以上の処理ノード７によって生成されたメタデータを収集する。可視化コントローラ６４は、さらなるインタフェース６５経由で収集されたメタデータを、接続されている出力ユニット１上で可視化する。プロセッサ６１は、処理ノード７のうちの１または複数が、それらに割り振られたタスクを完了したかどうかを継続してモニタするので、さらなる処理タスクを提供する必要がある。
（付記１）
デジタルコンテンツのメタデータを生成するための方法であって、
−メタデータ生成を複数の処理タスクに分割するステップと、
−前記複数の処理タスクのうちの２以上の処理タスクを２以上の処理ノードに割り振るステップと、
−前記２以上の処理ノードによって生成されたメタデータを収集するステップと、
−前記収集されたメタデータを出力ユニット上で可視化するステップと
を備えることを特徴とする方法。
（付記２）
前記デジタルコンテンツは、デジタルフィルムであり、および前記メタデータは、前記デジタルフィルム内で検出されるアーチファクトについての情報であることを特徴とする付記１に係る方法。
（付記３）
処理ノードが、それにレポートされる状態に依存して、さらなる処理タスクを割り振られるステップをさらに備えることを特徴とする付記１または２に係る方法。
（付記４）
処理タスクの前記割り振りおよび／または前記割り振られた処理タスクの現在の処理状態を可視化するステップをさらに備えることを特徴とする付記１乃至３のうちの１つに係る方法。
（付記５）
さらなるメタデータが読み出される時に前記収集されたメタデータの前記可視化を行うステップと、さらなる処理タスクが割り振られる時に処理タスクの前記割り振りの前記可視化を行うステップと、または処理状態が変わる時に前記割り振られた処理タスクの前記現在の処理状態の前記可視化を行うステップとをさらに備えることを特徴とする付記１乃至４のいずれかに係る方法。
（付記６）
異なる色、形またはマークは、割り振られていないまたは処理されていない処理タスク、割り振られた処理タスクの割り振りおよび処理状態、および生成されたメタデータ、を示すのに使用されることを特徴とする先行する付記のうちの１つに係る方法。
（付記７）
前記処理タスクは、前記デジタルコンテンツ部および／またはアルゴリズムの処理ステップに関連することを特徴とする先行する付記のうちの１つに係る方法。
（付記８）
前記デジタルコンテンツ部は、映画のフレームまたはチャンクであることを特徴とする付記７に係る方法。
（付記９）
前記出力ユニット上で可視化するためにメタデータをクラスタ化するステップをさらに備えることを特徴とする先行する付記のうちの１つに係る方法。
（付記１０）
前記処理ノードの処理速度および／または前記処理ノードの蓄積された処理速度を決定するステップをさらに備えることを特徴とする先行する付記のうちの１つに係る方法。
（付記１１）
前記蓄積された処理速度に基づいてメタデータのレビュープロセスの再生速度を制御するステップをさらに備えることを特徴とする付記１０に係る方法。
（付記１２）
前記メタデータをレビューするために前記収集されたメタデータおよび／または前記デジタルコンテンツへの手動ナビゲーションのステップをさらに備えることを特徴とする先行する付記のうちの１つに係る方法。
（付記１３）
デジタルコンテンツのメタデータを生成するための装置であって、
−メタデータ生成を複数の処理タスクに分割し、および前記複数の処理タスクのうちの２以上の処理タスクを２以上の処理ノードに割り振るためのプロセッサと、
−前記２以上の処理ノードによって生成されたメタデータを収集するためのデータコレクタと、
−前記収集されたメタデータを出力ユニット上で可視化するための可視化コントローラと
を備えることを特徴とする装置。
（付記１４）
メタデータをデジタルコンテンツに適用するための方法であって、
−メタデータの前記適用を複数の処理タスクに分割するステップと、
−前記複数の処理タスクのうちの２以上の処理タスクを２以上の処理ノードに割り振るステップと、
−メタデータを前記２以上の処理ノードに分散するステップと
を備えることを特徴とする方法。
（付記１５）
−前記２以上の処理ノードによって生成された変更されたデジタルコンテンツを収集するステップと、
−前記変更されたデジタルコンテンツを出力ユニット上で可視化するステップと
をさらに備えることを特徴とする付記１４に係る方法。